(57)【要約】【課題】災害時や緊急時等に老齢者や病弱者等の不自由者を、楽に背負って移動することのできる背負い具を提供する。【解決手段】不自由者１の背中から臀部にかけての全体を覆う胴カバー１１ａの下端から、両脚の太股の裏側と左右両側の全体を覆う二つの脚カバー１１ｂを一体設した略逆Ｙ字状のカバーシート１１と、胴カバー１１ａの上端部外側のそれぞれと、各脚カバー１１ｂの下端部外側との間に懸架され、不自由者１を背負う背負人２が肩に掛ける肩ベルト１２と、各肩ベルト１２から横設され、その先端部同士が背負人２の胸部分で留め具１５によって着脱自在に連結される胸ベルト１３と、各脚カバー１１ｂの下端部内側のそれぞれに連設され、その先端部同士が背負人２の腹部分で留め具１５によって着脱自在に連結される腹ベルト１４とで構成する。【選択図】      図３
2006198139.tif 000002
【特許請求の範囲】
【請求項１】
災害時や緊急時等に，老齢者や病弱者等の不自由者（１）を背負って移動するための背負い具であって、前記不自由者の背中から臀部にかけての全体を覆う胴カバー（１１ａ）の下端から，両脚の太股の裏側と左右両側の全体を覆う二つの脚カバー（１１ｂ）を一体設した略逆Ｙ字状のカバーシート（１１）と、前記胴カバーの上端部外側のそれぞれと，前記各脚カバーの下端部外側との間に懸架され，前記不自由者を背負う背負人（２）が肩に掛ける肩ベルト（１２）と、前記各肩ベルトから横設され，その先端部同士が前記背負人の胸部分で留め具（１５）によって着脱自在に連結される胸ベルト（１３）と、前記各脚カバーの下端部内側のそれぞれに連設され，その先端部同士が前記背負人の腹部分で留め具によって着脱自在に連結される腹ベルト（１４）と、からなる背負い具。
【請求項２】
災害時や緊急時等に，老齢者や病弱者等の不自由者（１）を背負って移動するための背負い具であって、前記不自由者の背中から臀部にかけての全体を覆う胴カバー（１１ａ）の下端から，両脚の太股の裏側と左右両側の全体を覆う二つの脚カバー（１１ｂ）を一体設した略逆Ｙ字状のカバーシート（１１）と、前記胴カバーの上端部外側のそれぞれと，前記各脚カバーの下端部外側との間に懸架され，前記不自由者を背負う背負人（２）が肩に掛ける肩ベルト（１２）と、前記各肩ベルトから横設され，その先端部同士が前記背負人の胸部分で留め具（１５）によって着脱自在に連結される胸ベルト（１３）と、前記各脚カバーの下端部内側のそれぞれに連設され，その先端部同士が前記背負人の腹部分で留め具によって着脱自在に連結される腹ベルト（１４）と、からなり、前記二本の肩ベルトと前記二本の腹ベルトを略円形状に連結して一本の長尺ベルト（１６）を形成し、前記胴カバーの上端部と，前記各脚カバーの下端部に，前記長尺ベルトが自在に挿通する挿通部（１７）を形成し、かつ，前記長尺ベルトの先端部である前記腹ベルトの先端部を留め具によって折返し固定自在として，該長尺ベルトの有効長さを調節自在としてなる背負い具。
【請求項３】
カバーシート（１１）と肩ベルト（１２）の双方またはいずれか一方の内面の所定箇所にクッション（１８）を設けてなる請求項１または２に記載の背負い具。
【請求項４】
カバーシート（１１）の外面に光反射テープ（１９）を設けてなる請求項１乃至３のいずれかに記載の背負い具。
【発明の詳細な説明】
【技術分野】
【０００１】
本発明は、老齢者や病弱者等を楽に背負って移動することのできる背負い具に関するものである。
【背景技術】
【０００２】
例えば、地震や火災などの災害時や緊急時等に、老齢者や病弱者等を迅速に移動させることは容易ではない。
【０００３】
近年、こうした事態を踏まえ、災害時や緊急時等に老齢者や病弱者等を背負って移動することのできる背負い具が創案されている。例えば、図１および図２に示すものが、その一つである。
【０００４】
この背負い具３０は、老齢者や病弱者など（不自由者１という）の臀部の中央部にシート３１を配し、当該不自由者１の脚を、シートとその下端部に連設した脚ベルト３２の間の挿通空間部３４に通し、背負人（図示せず）が、肩ベルト３３に両腕を通して背負うものである。
【発明の開示】
【発明が解決しようとする課題】
【０００５】
しかし、この従来の背負い具３０には、改善すべき問題がある。すなわち、この背負い具３０は、不自由者１の太股部分を幅の狭い脚ベルト３２で支持した状態で背負うので、太股部分に脚ベルト３２が食い込み、かつ、当該太股や股部分に自重の殆どが掛かるため、不自由者１に苦痛を強いるものであった。
【０００６】
また、シート３１は、不自由者１の臀部中央部といった狭い範囲にのみ配されるので、安定性に欠け、不自由者１は両腕で背負人の身体に強くしがみつく必要がある。そのため、不自由者１に大きな負担を強いることになると共に、背負人にもその肩や胸などに大きな負担が掛かるといった問題がある。
【０００７】
さらに、装着時、不自由者１の脚を、シート３１と脚ベルト３２の間の挿通空間部３４に通す必要があるので、その動作に手間取り、迅速に装着することができないといった問題もある。
【０００８】
本発明はこうした問題に鑑み創案されたもので、災害時や緊急時等に老齢者や病弱者等の不自由者を、楽に背負って移動することのできる背負い具を提供することを課題とする。
【課題を解決するための手段】
【０００９】
図３乃至図７を参照して説明する。請求項１に記載の背負い具１０は、災害時や緊急時等に、老齢者や病弱者等の不自由者１を背負って移動するためのものであって、前記不自由者１の背中から臀部にかけての全体を覆う胴カバー１１ａの下端から、両脚の太股の裏側と左右両側の全体を覆う二つの脚カバー１１ｂを一体設した略逆Ｙ字状のカバーシート１１と、前記胴カバー１１ａの上端部外側のそれぞれと、前記各脚カバー１１ｂの下端部外側との間に懸架され、前記不自由者１を背負う背負人２が肩に掛ける肩ベルト１２と、前記各肩ベルト１２から横設され、その先端部同士が前記背負人２の胸部分で留め具１５によって着脱自在に連結される胸ベルト１３と、前記各脚カバー１１ｂの下端部内側のそれぞれに連設され、その先端部同士が前記背負人２の腹部分で留め具１５によって着脱自在に連結される腹ベルト１４と、からなるものである。
【００１０】
請求項２に記載の背負い具１０は、災害時や緊急時等に、老齢者や病弱者等の不自由者１を背負って移動するためのものであって、前記不自由者１の背中から臀部にかけての全体を覆う胴カバー１１ａの下端から、両脚の太股の裏側と左右両側の全体を覆う二つの脚カバー１１ｂを一体設した略逆Ｙ字状のカバーシート１１と、前記胴カバー１１ａの上端部外側のそれぞれと、前記各脚カバー１１ｂの下端部外側との間に懸架され、前記不自由者１を背負う背負人２が肩に掛ける肩ベルト１２と、前記各肩ベルト１２から横設され、その先端部同士が前記背負人２の胸部分で留め具１５によって着脱自在に連結される胸ベルト１３と、前記各脚カバー１１ｂの下端部内側のそれぞれに連設され、その先端部同士が前記背負人２の腹部分で留め具１５によって着脱自在に連結される腹ベルト１４と、からなるものである。
【００１１】
また、前記二本の肩ベルト１２と前記二本の腹ベルト１４を略円形状に連結して一本の長尺ベルト１６を形成し、前記胴カバー１１ａの上端部と、前記各脚カバー１１ｂの下端部に、前記長尺ベルト１６が自在に挿通する挿通部１７を形成し、かつ、前記長尺ベルト１６の先端部である前記腹ベルト１４の先端部を留め具１５によって折返し固定自在として、当該長尺ベルト１６の有効長さを調節自在としてなるものである。
【００１２】
請求項３に記載の背負い具は、請求項１または２に記載の発明において、カバーシート１１と肩ベルト１２の双方またはいずれか一方の内面の所定箇所にクッション１８を設けてなるものである。
【００１３】
請求項４に記載の背負い具は、請求項１乃至３のいずれかに記載の発明において、カバーシート１１の外面に光反射テープ１９を設けてなるものである。
【発明の効果】
【００１４】
請求項１に記載の背負い具１０は、不自由者１の背中から臀部にかけての全体を覆う胴カバー１１ａの下端から、両脚の太股の裏側と左右両側の全体を覆う二つの脚カバー１１ｂを一体設した略逆Ｙ字状のカバーシート１１を備えているので、災害時や緊急時等に不自由者１を楽に背負って移動することができる。
【００１５】
すなわち、脚カバー１１ｂによって不自由者１の両脚の太股の裏側と左右両側の全体を覆った状態で支持するので、背負った際の不自由者１の自重が太股の一部に集中して掛からない。従って、不自由者１は背負われた際に苦痛を感じることがない。
【００１６】
また、胴カバー１１ａによって不自由者１の背中から臀部にかけての全体を覆うので、当該不自由者１は安定姿勢を維持することができる。従って、不自由者１は背負人２の身体に強くしがみつく必要がなく、楽な姿勢で背負われる。また、背負人２にもその肩や胸などに大きな負担が掛からず、楽に背負うことができる。
【００１７】
さらに、装着時、不自由者１の脚をカバーシート１１と腹ベルト１４等の間の空間に通す必要がないので、その作業が楽であり、迅速に装着することができる。すなわち、例えば、この背負い具１０を、椅子Ｃの上に広げておき、その上に不自由者１を座らせた後、背負人２が肩ベルト１２を肩に掛けた後、胸ベルト１３を締める。次に、二本の腹ベルト１４を腹部分で締結する。これによって、胴カバー１１ａが不自由者１の背中から臀部に掛けての全体を覆い、脚カバー１１ｂが太股の裏側と左右両側の全体を覆う。従って、不自由者１の脚をカバーシート１１と腹ベルト１４等の間の空間に通すといった厄介な作業が不要である。
【００１８】
請求項２に記載の背負い具１０は、請求項１に記載の発明と同様に、災害時や緊急時等に老齢者や病弱者等の不自由者１を、楽に背負って移動することができる。
【００１９】
また、二本の肩ベルト１２と腹ベルト１４を略円形状に連結して一本の長尺ベルト１６を形成し、胴カバー１１ａの上端部と、各脚カバー１１ｂの下端部に、長尺ベルト１６が自在に挿通する挿通部１７を形成し、かつ、長尺ベルト１６の先端部である腹ベルト１４の先端部を留め具１５によって折返し固定自在としているので、当該腹ベルト１４の先端部の折り返し長さを調節することによって、長尺ベルト１６の有効長さを自在に変えることができる。また、腹ベルト１４と肩ベルト１２は連結されているので、腹ベルト１４の有効長さを調節することによって、肩ベルト１２の有効長さも同時に調節される。従って、肩ベルト１２のみの有効長さを調節するといった作業を必要としない。
【００２０】
請求項３に記載の背負い具は、カバーシート１１と肩ベルト１２の双方またはいずれか一方の内面の所定箇所にクッション１８を設けたので、不自由者１の背中、臀部あるいは太股に掛かる力と、背負人２の肩に掛かる力を和らげることができる。従って、不自由者１および背負人２の双方の負担を軽減することができる。
【００２１】
請求項４に記載の背負い具は、カバーシート１１の外面に光反射テープ１９を設けたので、特に、夜間の避難時等において、自動車のライト等が当該光反射テープ１９に反射して光るので、安全性の確保を図ることができる。
【００２２】
これにより、例えば、太っている不自由者１を背負う場合には長尺ベルト１６の有効長さを長くし、逆に、細い不自由者１を背負う場合には短くすることによって、あらゆる体型の不自由者１を楽な姿勢で背負うことができる。なお、背負人２の体型によっても、長尺ベルト１６の有効長さを調節する。
【発明を実施するための最良の形態】
【００２３】
本発明に係る背負い具１０の実施形態を、図３乃至図７に示す。これは、地震や火災などの災害時や緊急時等に、老齢者や病弱者等の不自由者１を背負って移動するための背負い具であり、カバーシート１１、肩ベルト１２、胸ベルト１３および腹ベルト１４を備える。
【００２４】
カバーシート１１は、不自由者１の背中から臀部にかけての全体を覆う胴カバー１１ａの下端から、両脚の太股の裏側と左右両側の全体を覆う二つの脚カバー１１ｂを一体設した略逆Ｙ字状である。肩ベルト１２は、胴カバー１１ａの上端部外側のそれぞれと、各脚カバー１１ｂの下端部外側との間に懸架され、不自由者１を背負う背負人２が肩に掛けるものである。
【００２５】
胸ベルト１３は、各肩ベルト１２から横設され、その先端部同士が背負人２の胸部分で留め具１５によって着脱自在に連結されるものである。そして、腹ベルト１４は、各脚カバー１１ｂの下端部内側のそれぞれに連設され、その先端部同士が背負人２の腹部分で留め具１５によって着脱自在に連結される。
【００２６】
また、本実施形態では、二本の肩ベルト１２と腹ベルト１４を略円形状に連結して一本の長尺ベルト１６を形成している。また、胴カバー１１ａの上端部と、各脚カバー１１ｂの下端部に、長尺ベルト１６が自在に挿通する挿通部１７を形成している。さらに、長尺ベルト１６の先端部である腹ベルト１４の先端部を留め具１５によって折返し固定自在として、当該長尺ベルト１６の有効長さを調節自在としている。
【００２７】
なお、本実施形態における留め具１５は、オス型１５ａとメス型１５ｂとからなるバックルで構成し、オス型１５ａおよびメス型１５ｂの両方で腹ベルト１４の先端部を折り返し固定自在としている。また、胸ベルト１３に設けた留め具１５も、同様に、オス型１５ａとメス型１５ｂで構成し、両方で胸ベルト１３の先端部を折り返し固定自在に設定している。
【００２８】
本実施形態に係る背負い具１０は、例えば、次のようにして使用することができる。まず、この背負い具１０を、椅子Ｃの上に広げる（図４）。次に、その上に不自由者１を座らせる（図５）。この状態で、自動的に、不自由者１の背中から臀部の全体にわたって胴カバー１１ａが配され、太股の裏側の全体にわたって脚カバー１１ｂが配される。
【００２９】
続いて、背負人２が背負い具１０の肩ベルト１２を、不自由者１の脇の下を潜らせた状態で肩に掛けた後、胸ベルト１３を締める。このとき、胸ベルト１３の留め具１５を調節して、当該胸ベルト１３の有効長さを調整することができる。
【００３０】
次に、二本の腹ベルト１４を腹部分で締結する。また、必要に応じて、腹ベルト１４の留め具１５を調節して腹ベルト１４の有効長さを調節する。この腹ベルト１４と肩ベルト１２は連結されているので、当該腹ベルト１４の有効長さを調節することによって、自動的に肩ベルト１２の長さも併せて調節される。従って、肩ベルト１２の有効長さのみを調節する必要がない。
【００３１】
この状態から、背負人２が立ち上がると、不自由者１の背中から臀部の全体が胴カバー１１ａによって支持されると共に、各太股の裏側と左右両側の全体が脚カバー１１ｂによって覆われるように支持される（図６、図７）。従って、不自由者１は安定かつ楽な姿勢で背負われる。また、これによって、背負人２にも大きな負担が掛からず、楽に背負うことができる。さらに、背負い具１０を装着する際、不自由者１に、単にその上に座ってもらうだけで良いので、装着が極めて容易であり、迅速に装着することができる。
【００３２】
本発明に係る背負い具１０の他の実施形態を、図８に示す。この背負い具１０は、カバーシート１１の内面と、肩ベルト１２の内面にクッション１８を設けている。従って、カバーシート１１のクッション１８によって不自由者１の負担を軽減し、肩ベルト１２のクッション１８によって背負人２の負担を軽減することができる。
【００３３】
本発明に係る背負い具１０のさらに他の実施形態を、図９に示す。ここでは、カバーシート１１の外面に光反射テープ１９を設けている。これにより、光反射テープ１９が自動車のライト等を反射して光るので、夜間等における救助の安全性を確保することができる。
【００３４】
なお、本発明に係る背負い具１０は、図８および図９に示すような、クッション１８及び光反射テープ１９の全てを設けたものとすることもできる。
【実施例】
【００３５】
本発明者らは、本発明に係る背負い具１０と従来技術に係る背負い具３０を、複数の男女に実際に使用してもらい、その評価を比較した。その結果を表１乃至表４に示す。各表における項目は、１（最低）〜５（最高）の段階で評価した。まず、最初に、背負う側である背負人２の評価結果を示す。
【００３６】
【表１】
2006198139.tif 000003
【００３７】
【表２】
2006198139.tif 000004
【００３８】
この実験結果から、本発明に係る背負い具１０では、各項目において、４〜５の評価が多いのに対して、従来技術に係る背負い具３０では、０〜２の評価が目立つ。このことから、本発明に係る背負い具１０が、背負人１から判断して、従来技術と比較して優れていることが分かる。
【００３９】
次に、背負われる側である不自由者１の評価結果を示す。
【表３】
2006198139.tif 000005
【００４０】
【表４】
2006198139.tif 000006
【００４１】
この評価結果から分かるように、本発明に係る背負い具１０では、背負人２の場合と同様に、４〜５の評価が多いのに対して、従来技術では０〜２の評価が目立つ。また、本発明では、「安定感がある」との評価が多いのに対して、従来技術では、「胸や股が痛い」との評価が多い。このことから、本発明に係る背負い具１０が、不自由者から判断して、従来技術より優れていることが分かる。
【図面の簡単な説明】
【００４２】
【図１】従来技術に係る背負い具を示す正面図である。
【図２】図１に示す背負い具を、不自由者にあてがった状態を示す正面図である。
【図３】本発明に係る背負い具の実施形態を示す正面図である。
【図４】図３に示す背負い具を椅子に載せた状態を示す正面図である。
【図５】図３に示す背負い具の上に不自由者が座った状態を示す正面図である。
【図６】図３に示す背負い具を背負人が装着した状態を示す正面図である。
【図７】図６の側面図である。
【図８】本発明に係る背負い具の他の実施形態を示す正面図である。
【図９】本発明に係る背負い具のさらに他の実施形態を示す背面図である。
【符号の説明】
【００４３】
１        不自由者
２        背負人
１０      背負い具
１１      カバーシート
１１ａ    胴カバー
１１ｂ    脚カバー
１２      肩ベルト
１３      胸ベルト
１４      腹ベルト
１５      留め具
１５ａ    オス型
１５ｂ    メス型
１６      長尺ベルト
１７      挿通部
１８      クッション
１９      光反射テープ
３０      背負い具
３１      シート
３２      脚ベルト
３３      肩ベルト
３４      挿通空間部
Ｃ        椅子
【図１】
2006198139.tif 000007
【図２】
2006198139.tif 000008
【図３】
2006198139.tif 000009
【図４】
2006198139.tif 000010
【図５】
2006198139.tif 000011
【図６】
2006198139.tif 000012
【図７】
2006198139.tif 000013
【図８】
2006198139.tif 000014
【図９】
2006198139.tif 000015